(57)【要約】      （修正有）【課題】正面に操作部を有する一方筐体と、正面に表示部を有する他方筐体と、一方筐体と他方筐体との間に介在する連結体とを備え、一方筐体と他方筐体とを、連結体を介し開閉軸を中心として開閉自在、かつ開閉軸と直交する旋回軸を中心として旋回自在に連結して成り、一方筐体の正面と他方筐体の背面とを相対向させ他方筐体の正面に設けられた表示部を外方に露呈させて一方筐体と他方筐体とを閉じた形態と、一方筐体に対して他方筐体を所定の姿勢角で開いた形態とに変形し得るよう構成された携帯端末を対象とし、その目的は、他方筐体の表示部を外部に露呈させた状態で使用する操作デバイスの実装に伴う外観形状の大型化を未然に防止し得る携帯端末を提供する。【解決手段】携帯端末は、連結体において、一方筐体と他方筐体とを表示部と同じく外方へ露呈する部位に操作デバイスを設けている。【選択図】  図５
2007158922.tif 000002
【特許請求の範囲】
【請求項１】
正面に操作部を有する一方筐体と、正面に表示部を有する他方筐体と、前記一方筐体と前記他方筐体との間に介在する連結体とを備え、前記一方筐体と前記他方筐体とを、前記連結体を介し開閉軸を中心として開閉自在、かつ前記開閉軸と直交する旋回軸を中心として旋回自在に連結して成り、
前記一方筐体の正面と前記他方筐体の正面とを相対向させて、前記一方筐体と前記他方筐体とを閉じた第１形態と、
前記第１形態から前記一方筐体に対して前記他方筐体を所定の姿勢角で開いた第２形態と、
前記一方筐体の正面と前記他方筐体の背面とを相対向させ、前記他方筐体の正面に設けられた前記表示部を外方に露呈させて、前記一方筐体と前記他方筐体とを閉じた第３形態と、
前記第３形態から前記一方筐体に対して前記他方筐体を所定の姿勢角で開いた第４形態とに変形し得るよう構成された携帯端末であって、
前記連結体において、前記一方筐体と前記他方筐体とを前記第３形態とした際に前記表示部と同じく外方へ露呈する部位に操作デバイスを設けて成ることを特徴とする携帯端末。
【請求項２】
前記一方筐体に設けられた電子部品と前記他方筐体に設けられた電子部品とを、細線同軸ケーブルを介して互いに接続するとともに、前記操作デバイスと前記一方筐体および前記他方筐体の少なくとも一方の電子部品とを、フレキシブルフラットケーブルを介して互いに接続したことを特徴とする請求項１記載の携帯端末。
【請求項３】
正面に操作部を有する一方筐体と、正面に表示部を有する他方筐体と、前記一方筐体と前記他方筐体との間に介在する連結体とを備え、前記一方筐体と前記他方筐体とを、前記連結体を介し開閉軸を中心として開閉自在、かつ前記開閉軸と直交する旋回軸を中心として旋回自在に連結して成り、
前記一方筐体の正面と前記他方筐体の正面とを相対向させて、前記一方筐体と前記他方筐体とを閉じた第１形態と、
前記第１形態から前記一方筐体に対して前記他方筐体を所定の姿勢角で開いた第２形態と、
前記一方筐体の正面と前記他方筐体の背面とを相対向させ、前記他方筐体の正面に設けられた前記表示部を外方に露呈させて、前記一方筐体と前記他方筐体とを閉じた第３形態と、
前記第３形態から前記一方筐体に対して前記他方筐体を所定の姿勢角で開いた第４形態とに変形し得るよう構成された携帯端末であって、
前記一方筐体において、前記一方筐体と前記他方筐体とを前記第３形態とした際に前記表示部と同じく外方へ露呈する部位に操作デバイスを設けて成ることを特徴とする携帯端末。
【発明の詳細な説明】
【技術分野】
【０００１】
本発明は、正面に操作部を有する一方筐体と、正面に表示部を有する他方筐体とを、回転２軸ヒンジ機構を備えた連結体を介して、互いに開閉自在かつ旋回可能に連結して成る携帯端末に関するものである。
【背景技術】
【０００２】
例えば、携帯端末の一例である携帯電話機には、使用時における使い易さと携帯時のコンパクト化とを両立させる目的で、正面に操作部を有する一方筐体と、正面に表示部を有する他方筐体とを、互いに開閉自在に連結して成る折畳み式の携帯電話機が提供されている(例えば、特許文献１参照)。
【０００３】
さらに、多様な使用形態を実現することを目的として、回転２軸ヒンジ機構(例えば、特許文献２参照)を用い、正面に操作部を有する一方筐体と、正面に表示部を有する他方筐体とを、互いに開閉自在、かつ旋回可能に連結して成る折畳み式の携帯電話機が提供されている。
【０００４】
図１１〜図１３に示す如く、上述した折畳み式の携帯電話機Ａは、本体を構成する下筐体(一方筐体)Ｂと、蓋体を構成する上筐体(他方筐体)Ｃとを備えており、扁平な長方体の如き形状を呈する下筐体Ｂの正面Ｂｆには、複数の操作キーを備えた操作部Ｂａと送話部Ｂｍとが設けられ、同じく下筐体Ｂの背面Ｂｂにはカメラ部Ｂｃが設けられている。
【０００５】
一方、下筐体Ｂと同じく扁平な長方体の如き形状を呈する上筐体Ｃの正面Ｃｆには、大型のメイン液晶画面(表示部)Ｃｄとともに受話部Ｃｒが設けられ、同じく上筐体Ｃの背面Ｃｂには小形のサブ液晶画面Ｃｓが設けられている。
【０００６】
上述した下筐体Ｂと上筐体Ｃとは、回転２軸ヒンジ機構(図示せず)を備えた連結体Ｄを介して、図１１に矢印Ｆで示す如く開閉軸ｘを中心として開閉自在に連結されているとともに、上記開閉軸ｘと直交する旋回軸ｚを中心として図１１に矢印Ｒで示す如く旋回自在に連結されている。
【０００７】
これにより上記携帯電話機Ａは、図１２(ａ)に示す如く、下筐体Ｂの正面Ｂｆと上筐体Ｃの正面Ｃｆとを相対向させて閉じたクローズポジション(第１形態)と、図１２(ｂ)に示す如く、第１形態から下筐体Ｂに対して上筐体Ｃを所定の姿勢角で開いたオープンポジション(第２形態)とを取ることができる。
【０００８】
上述したクローズポジション(第１形態)は、携帯電話機Ａを携帯する際に適した形態であり、上述したオープンポジション(第２形態)は、メイン液晶画面Ｃｄを参照しつつ通話する際に適した形態である。
【０００９】
また上記携帯電話機Ａは、図１３(ａ)に示す如く、下筐体Ｂの正面Ｂｆと上筐体Ｃの背面Ｃｂとを相対向させ、上筐体Ｃの正面Ｃｆに設けられたメイン液晶画面Ｃｄを外方に露呈させて下筐体Ｂと上筐体Ｃとを閉じたターンクローズポジション(第３形態)と、図１３(ｂ)に示す如く、第３形態から下筐体Ｂに対して上筐体Ｃを所定の姿勢角で開いたターンオープンポジション(第４形態)とを取ることができる。
【００１０】
上述したターンクローズポジション(第３形態)は、デジタルカメラのようにメイン液晶画面Ｃｄを見ながら写真撮影する際や、メイン液晶画面Ｃｄによってテレビ放送等を視聴する際に適した形態であり、上述したターンオープンポジション(第４形態)は、メイン液晶画面Ｃｄを外側に向けているため自分撮りに適した形態である。
【特許文献１】特開２００４−８８５４１号公報
【特許文献２】特開２００４−１０８５８１号公報
【発明の開示】
【発明が解決しようとする課題】
【００１１】
ところで、上述した従来の携帯電話機Ａにおいて、図１３(ａ)に示したターンオープンスタイル(第３形態)とした場合、例えばメイン液晶画面Ｃｄでテレビ放送を視聴する際の選局等の操作キーは、その操作性を鑑みてメイン液晶画面Ｃｄと同じく使用者に臨んだ外方に設けられていることが望ましい。
【００１２】
しかし、上述した要求を満たす構成として、上筐体Ｃにメイン液晶画面Ｃｄと隣接させて操作キーを設置した場合、該操作キーの実装スペースを確保するために上筐体Ｃが大型化し、延いては携帯電話機Ａ全体の外観形状が大型化することで、コンパクト化が重要な携帯電話においては問題となっていた。
【００１３】
上記実状に鑑みて本発明の目的は、他方筐体の表示部を外部に露呈させた状態において使用する操作デバイスの実装に伴う外観形状の大型化を未然に防止することの可能な携帯端末を提供することにある。
【課題を解決するための手段】
【００１４】
上記目的を達成するべく、請求項１の発明に関わる携帯端末は、正面に操作部を有する一方筐体と、正面に表示部を有する他方筐体と、一方筐体と他方筐体との間に介在する連結体とを備え、一方筐体と他方筐体とを、連結体を介し開閉軸を中心として開閉自在、かつ開閉軸と直交する旋回軸を中心として旋回自在に連結して成り、一方筐体の正面と他方筐体の正面とを相対向させて一方筐体と他方筐体とを閉じた第１形態と、第１形態から一方筐体に対して他方筐体を所定の姿勢角で開いた第２形態と、一方筐体の正面と他方筐体の背面とを相対向させ他方筐体の正面に設けられた表示部を外方に露呈させて一方筐体と他方筐体とを閉じた第３形態と、第３形態から一方筐体に対して他方筐体を所定の姿勢角で開いた第４形態とに変形し得るよう構成された携帯端末であって、連結体において、一方筐体と他方筐体とを第３形態とした際に表示部と同じく外方へ露呈する部位に操作デバイスを設けて成ることを特徴としている。
【００１５】
また、請求項２の発明に関わる携帯端末は、請求項１の発明に関わる携帯端末において、一方筐体に設けられた電子部品と他方筐体に設けられた電子部品とを、細線同軸ケーブルを介して互いに接続するとともに、操作デバイスと一方筐体および他方筐体の少なくとも一方の電子部品とを、フレキシブルフラットケーブルを介して互いに接続したことを特徴としている。
【００１６】
また、請求項３の発明に関わる携帯端末は、正面に操作部を有する一方筐体と、正面に表示部を有する他方筐体と、一方筐体と他方筐体との間に介在する連結体とを備え、一方筐体と他方筐体とを、連結体を介し開閉軸を中心として開閉自在、かつ開閉軸と直交する旋回軸を中心として旋回自在に連結して成り、一方筐体の正面と他方筐体の正面とを相対向させて一方筐体と他方筐体とを閉じた第１形態と、第１形態から一方筐体に対して他方筐体を所定の姿勢角で開いた第２形態と、一方筐体の正面と他方筐体の背面とを相対向させ他方筐体の正面に設けられた表示部を外方に露呈させて一方筐体と他方筐体とを閉じた第３形態と、第３形態から一方筐体に対して他方筐体を所定の姿勢角で開いた第４形態とに変形し得るよう構成された携帯端末であって、一方筐体において、一方筐体と他方筐体とを第３形態とした際に表示部と同じく外方へ露呈する部位に操作デバイスを設けて成ることを特徴としている。
【発明の効果】
【００１７】
請求項１の発明に関わる携帯端末によれば、一方筐体と他方筐体とを第３形態とした際、連結体において他方筐体の表示部と同じく外方へ露呈する部位に操作デバイスを設置したことにより、言い換えれば、上記操作デバイスを他方筐体に設置していないことにより、上記他方筐体の徒らな大型化を未然に防止することができ、もって携帯電話機の全体形状の大型化を可及的に抑制することが可能となる。
【００１８】
請求項２の発明に関わる携帯端末によれば、一方筐体と他方筐体とに設けられた電子部品同士を細線同軸ケーブルで互いに接続し、かつ一方筐体および他方筐体の少なくとも一方の電子部品と操作デバイスとをフレキシブルフラットケーブルで互いに接続することで、一方筐体と他方筐体との開閉動作および旋回動作を損なうことなく、かつ組立て作業性の低下を招くことなく携帯端末を生産することが可能となる。
【００１９】
請求項３の発明に関わる携帯端末によれば、一方筐体と他方筐体とを第３形態とした際、一方筐体において他方筐体の表示部と同じく外方へ露呈する部位に操作デバイスを設置したことにより、言い換えれば、上記操作デバイスを他方筐体に設置していないことにより、上記他方筐体の徒らな大型化を未然に防止することができ、もって携帯電話機の全体形状の大型化を可及的に抑制することが可能となる。
【発明を実施するための最良の形態】
【００２０】
以下、幾つかの実施例を示す図面に基づいて、本発明を詳細に説明する。  
図１〜図６は、携帯端末の一態様である携帯電話機に本発明を適用した実施例を示しており、この実施例における携帯電話機１は、本体を構成する下筐体(一方筐体)２と、蓋体を構成する上筐体(他方筐体)３とを備えている。
【００２１】
上記下筐体２は、扁平な長方体の如き形状を呈しており、その正面２ｆには複数の操作キーを備えた操作部２ａと送話部２ｍとが設けられ、同じく下筐体２の背面２ｂにはカメラ部２ｃが設けられている。
【００２２】
一方、下筐体２と同じく扁平な長方体の如き形状を呈する上筐体３の正面３ｆには、大型のメイン液晶画面(表示部)３ｄが設けられており、さらに受話部３ｒおよび操作キー３ｋが設けられ、同じく上筐体３の背面３ｂには小形のサブ液晶画面３ｓが設けられている。
【００２３】
上述した下筐体２と上筐体３とは、両者の基端部間に介在する連結体４によって互いに連結されており、図３に示す如く下筐体２の幅方向(図中の左右方向)に延びるｘ軸(開閉軸)上の開閉用ヒンジユニットＨｆ，Ｈｆを介して、下筐体２と連結体４とが互いに連結されているとともに、上記ｘ軸(開閉軸)と直交して延びるｚ軸(旋回軸)上の旋回用ヒンジユニットＨｒを介して、連結体４と上筐体３とが互いに連結されている。
【００２４】
すなわち、上述した下筐体２と上筐体３とは、連結体４を介して図２に矢印Ｆで示す如くｘ軸(開閉軸)を中心として開閉自在に連結されるとともに、ｚ軸(旋回軸)を中心として図２に矢印Ｒで示す如く旋回自在に連結されている。
【００２５】
これにより、上記携帯電話機１は、図４(ａ)に示す如く、下筐体２の正面２ｆと上筐体３の正面３ｆとを相対向させて閉じたクローズポジション(第１形態)と、図４(ｂ)に示す如く、第１形態から下筐体２に対して上筐体３を所定の姿勢角で開いたオープンポジション(第２形態)とを取ることができる。
【００２６】
また、上記携帯電話機１は、図５(ａ)に示す如く、下筐体２の正面２ｆと上筐体３の背面３ｂとを相対向させ、上筐体３の正面３ｆに設けられたメイン液晶画面３ｄを外方に露呈させて下筐体２と上筐体３とを閉じたターンクローズポジション(第３形態)と、図５(ｂ)に示す如く、第３形態から下筐体２に対して上筐体３を所定の姿勢角で開いたターンオープンポジション(第４形態)とを取ることができる。
【００２７】
ここで、上記携帯電話機１の連結体４には、操作デバイスの一態様であるマルチファンクションスイッチ５が設けられており、上記連結体４の外面４ｏ、すなわち図５(ａ)に示す如く、下筐体２と上筐体３とをターンクローズポジション(第３形態)とした際に、上筐体３のメイン液晶画面３ｄと同じく外方へ露呈する部位に、上記マルチファンクションスイッチ５の操作キー５ｋ、５ｋ…が配置されている。
【００２８】
上記マルチファンクションスイッチ５の操作キー５ｋ、５ｋ…は、携帯電話機１をターンオープンスタイル(第３形態)とし、上筐体３のメイン液晶画面３ｄで例えばテレビ放送を視聴する際に、選局等を行うための操作キーとして機能するもので、上述した如く連結体４の外面４ｏ、すなわちメイン液晶画面３ｄと同じく使用者に臨んだ外方に設けられていることにより、使用者の操作性は極めて良好なものとなる。
【００２９】
上記構成の携帯電話機１においては、上述した如く連結体４の外面４ｏ、すなわち下筐体２と上筐体３とをターンオープンスタイル(第３形態)とした際、メイン液晶画面３ｄと同じく使用者に臨む外方へ露呈する部位に、操作デバイスの一態様であるマルチファンクションスイッチ５(操作キー５ｋ、５ｋ…)を設けたこと、言い換えれば上記マルチファンクションスイッチ５を上筐体３に設置していないことで、上記上筐体３が徒らに大型化してしまうこと、延いては携帯電話機１における全体形状の大型化を未然に防止することが可能となる。
【００３０】
ところで、上述した実施例の携帯電話機１においては、図３に示す如く、下筐体２に収容設置されている基板(電子部品)２Ｂと、上筐体３に収容設置されている基板(電子部品)３Ｂとを、細線同軸ケーブル６を介して互いに接続することで、下筐体２と上筐体３とが相対的に開閉動作や旋回動作をした場合でも、上記基板２Ｂと基板３Ｂとの電気的な接続が確実に為されるよう構成されている。
【００３１】
詳しくは、下筐体２の回路基板２Ｂから延びる細線同軸ケーブル６は、一方の開閉用ヒンジユニットＨｆを貫通して連結体４の内部を通り、旋回用ヒンジユニットＨｒを貫通して上筐体３の回路基板３Ｂに接続されている。
【００３２】
一方、連結体４の内部に収容設置されているマルチファンクションスイッチ(操作デバイス)５の基板５Ｂは、該基板５Ｂから延びるフレキシブルフラットケーブル５Ｆを介して、下筐体２に収容設置されている基板(電子部品)２Ｂに接続されている。
【００３３】
上記フレキシブルフラットケーブル５Ｆは、図３に示す如く、基板５Ｂから連結体４の内部を通り、一方の開閉用ヒンジユニットＨｆの外側を巡るよう巻回して下筐体２の基板２Ｂに接続されており、これによって下筐体２と上筐体３との相対的な開閉動作によっても、上記基板５Ｂと基板２Ｂとの電気的な接続が確実に為されることなる。
【００３４】
上述した如く、下筐体２の基板２Ｂと上筐体３の基板３Ｂとを、細線同軸ケーブル６を介して互いに接続するとともに、下筐体２の基板２Ｂとマルチファンクションスイッチ５の基板５Ｂとを、フレキシブルフラットケーブル５Ｆを介して互いに接続することにより、下筐体２と上筐体３との開閉動作および旋回動作を損なうことなく、かつ組立て作業性の低下を招くことなく携帯電話機１を生産することができる。
【００３５】
なお、上述した実施例においては、一方の開閉用ヒンジユニットＨｆの外側を巡るよう巻回したフレキシブルフラットケーブル５Ｆを用いて、下筐体２の基板２Ｂとマルチファンクションスイッチ５の基板５Ｂとを接続しているが、上筐体３の基板３Ｂにマルチファンクションスイッチ５の基板５Ｂを接続する仕様であれば、基板５Ｂから延びるフレキシブルフラットケーブル(図示せず)を、旋回用ヒンジユニットＨｒの外側を巡るよう巻回させて、上筐体３の基板３Ｂに接続させる構成とすれば良い。
【００３６】
また、マルチファンクションスイッチ５の基板５Ｂを、下筐体２の基板２Ｂおよび上筐体３の基板３Ｂにおける少なくとも一方と接続させる際、下筐体２の基板２Ｂと上筐体３の基板３Ｂとを接続している細線同軸ケーブル６とは別個の細線同軸ケーブル(図示せず)を用いることも可能である。
【００３７】
さらに、図６に示す携帯電話機１′では、下筐体２′の基板２Ｂ′と上筐体３′の基板３Ｂ′とを、細線同軸ケーブル６′のメインケーブル６ｍ′によって互いに接続するとともに、細線同軸ケーブル６′から分岐したサブケーブル６ｓ′によって、下筐体２′の基板２Ｂ′とマルチファンクションスイッチ５′の基板５Ｂ′とを接続している。
【００３８】
ここで、上述した携帯電話機１′の如き構成を採用することも可能であるが、細線同軸ケーブル６′の取り回しが繁雑となるために、携帯電話機１′の製造時における組立て作業性が低下するばかりでなく、細線同軸ケーブル６′のサブケーブル６ｓ′を、コネクタ６ｃ′でマルチファンクションスイッチ５′の基板５Ｂ′に接続する必要から、マルチファンクションスイッチ５′の大型化を招く問題があるため、先の実施例における携帯電話機１のように、下筐体２の基板２Ｂと上筐体３の基板３Ｂとを、細線同軸ケーブル６を介して互いに接続するとともに、マルチファンクションスイッチ５の基板５Ｂと下筐体２の基板２Ｂ(あるいは上筐体３の基板３Ｂ)とを、フレキシブルフラットケーブル５Ｆを介して互いに接続する構成がベストモードである。
【００３９】
図７〜図１０は、携帯端末の一態様である携帯電話機に本発明を適用した実施例を示しており、この実施例における携帯電話機１０は、本体を構成する下筐体(一方筐体)１２と、蓋体を構成する上筐体(他方筐体)１３とを備えている。
【００４０】
上記下筐体１２は、扁平な長方体の如き形状を呈しており、その正面１２ｆには複数の操作キーを備えた操作部１２ａと送話部１２ｍとが設けられ、同じく下筐体１２の背面１２ｂにはカメラ部１２ｃが設けられている。
【００４１】
一方、下筐体１２と同じく扁平な長方体の如き形状を呈する上筐体１３の正面１３ｆには、大型のメイン液晶画面(表示部)１３ｄが設けられており、さらに受話部１３ｒおよび操作キー１３ｋが設けられ、同じく上筐体１３の背面１３ｂには小形のサブ液晶画面１３ｓが設けられている。
【００４２】
上述した下筐体１２と上筐体１３とは、両者の基端部間に介在する連結体１４によって互いに連結されており、図８に示す如く下筐体１２の幅方向(図中の左右方向)に延びるｘ軸(開閉軸)上の開閉用ヒンジユニットＨｆ，Ｈｆを介して、下筐体１２と連結体１４とが互いに連結されているとともに、上記ｘ軸(開閉軸)と直交して延びるｚ軸(旋回軸)上の旋回用ヒンジユニットＨｒを介して、連結体１４と上筐体１３とが互いに連結されている。
【００４３】
すなわち、上述した下筐体１２と上筐体１３とは、連結体１４を介して図７に矢印Ｆで示す如くｘ軸(開閉軸)を中心として開閉自在に連結されるとともに、ｚ軸(旋回軸)を中心として図７に矢印Ｒで示す如く旋回自在に連結されている。
【００４４】
これにより、上記携帯電話機１０は、図９(ａ)に示す如く、下筐体１２の正面１２ｆと上筐体１３の正面１３ｆとを相対向させて閉じたクローズポジション(第１形態)と、図９(ｂ)に示す如く、第１形態から下筐体１２に対して上筐体１３を所定の姿勢角で開いたオープンポジション(第２形態)とを取ることができる。
【００４５】
また、上記携帯電話機１０は、図１０(ａ)に示す如く、下筐体１２の正面１２ｆと上筐体１３の背面１３ｂとを相対向させ、上筐体１３の正面１３ｆに設けられたメイン液晶画面１３ｄを外方に露呈させて下筐体１２と上筐体１３とを閉じたターンクローズポジション(第３形態)と、図１０(ｂ)に示す如く、第３形態から下筐体１２に対して上筐体１３を所定の姿勢角で開いたターンオープンポジション(第４形態)とを取ることができる。
【００４６】
ここで、上記携帯電話機１０における下筐体１２のブラケット部１２Ｓには、操作デバイスの一態様であるマルチファンクションスイッチ１５が設けられており、上記ブラケット部１２Ｓの外面１２Ｓｏ、すなわち図１０(ａ)に示す如く、下筐体１２と上筐体１３とをターンクローズポジション(第３形態)とした際に、上筐体１３のメイン液晶画面１３ｄと同じく外方へ露呈する部位に、上記マルチファンクションスイッチ１５の操作キー１５ｋ、１５ｋ…が配置されている。
【００４７】
上記マルチファンクションスイッチ１５の操作キー１５ｋ、１５ｋ…は、携帯電話機１０をターンオープンスタイル(第３形態)とし、上筐体１３のメイン液晶画面１３ｄで例えばテレビ放送を視聴する際に、選局等を行うための操作キーとして機能するもので、上述した如く連結体１４の外面１４ｏ、すなわちメイン液晶画面１３ｄと同じく使用者に臨んだ外方に設けられていることにより、使用者の操作性は極めて良好なものとなる。
【００４８】
上記構成の携帯電話機１０においては、上述した如く下筐体１２のブラケット部１２Ｓにおける外面１２Ｓｏ、すなわち下筐体１２と上筐体１３とをターンオープンスタイル(第３形態)とした際、メイン液晶画面１３ｄと同じく使用者に臨む外方へ露呈する部位に、操作デバイスの一態様であるマルチファンクションスイッチ１５(操作キー１５ｋ、１５ｋ…)を設けたこと、言い換えれば上記マルチファンクションスイッチ１５を上筐体１３に設置していないことで、上記上筐体１３が徒らに大型化してしまうこと、延いては携帯電話機１０における全体形状の大型化を未然に防止することが可能となる。
【００４９】
ところで、上述した実施例の携帯電話機１０においては、図８に示す如く、下筐体１２に収容設置されている基板(電子部品)１２Ｂと、上筐体１３に収容設置されている基板(電子部品)１３Ｂとを、細線同軸ケーブル１６を介して互いに接続することで、下筐体１２と上筐体１３とが相対的に開閉動作や旋回動作をした場合でも、上記基板１２Ｂと基板１３Ｂとの電気的な接続が確実に為されるよう構成されている。
【００５０】
詳しくは、下筐体１２の回路基板１２Ｂから延びる細線同軸ケーブル１６は、一方の開閉用ヒンジユニットＨｆを貫通して連結体１４の内部を通り、旋回用ヒンジユニットＨｒを貫通して上筐体１３の回路基板１３Ｂに接続されている。
【００５１】
一方、下筐体１２におけるブラケット部１２Ｓの内部に収容設置されているマルチファンクションスイッチ(操作デバイス)１５の基板１５Ｂは、該基板１５Ｂから延びるフレキシブルフラットケーブル１５Ｆを介して、下筐体１２の基板１２Ｂに接続されている。
【００５２】
ここで、上筐体１３の基板１３Ｂにマルチファンクションスイッチ１５の基板１５Ｂを接続する仕様であれば、基板１５Ｂから延びるフレキシブルフラットケーブル(図示せず)は、一方の開閉用ヒンジユニットＨｆの外側を巡るよう巻回して連結体１４の内部を通り、連結体１４の内部から旋回用ヒンジユニットＨｒの外側を巡るよう巻回して上筐体１３の回路基板１３Ｂに接続される。
【００５３】
上述した如く、下筐体１２の基板１２Ｂと上筐体１３の基板１３Ｂとを、細線同軸ケーブル１６を介して互いに接続するとともに、下筐体１２の基板１２Ｂと上筐体１３の基板１３Ｂとの少なくとも一方を、フレキシブルフラットケーブル５Ｆを介してマルチファンクションスイッチ１５の基板１５Ｂと接続することにより、下筐体１２と上筐体１３との開閉動作および旋回動作を損なうことなく、かつ組立て作業性の低下を招くことなく携帯電話機１０を生産することができる。
【００５４】
ここで、マルチファンクションスイッチ１５の基板１５Ｂを、下筐体１２の基板１２Ｂおよび上筐体１３の基板１３Ｂにおける少なくとも一方と接続させる際、下筐体１２の基板１２Ｂと上筐体１３の基板１３Ｂとを接続している細線同軸ケーブル１６とは別個の細線同軸ケーブル(図示せず)を用いることも可能である。
【００５５】
また、下筐体１２の基板１２Ｂと上筐体１３の基板１３Ｂとを、図示していない細線同軸ケーブルのメインケーブルによって互いに接続するとともに、上記細線同軸ケーブルから分岐したサブケーブルによって、下筐体１２の基板１２Ｂとマルチファンクションスイッチ１５の基板１５Ｂとを接続することも可能であるが、携帯電話機１０の製造時における組立て作業性の低下や、マルチファンクションスイッチ１５の大型化を招く問題があることは否めない。
【００５６】
なお、上述した各実施例においては、マルチファンクションスイッチの操作キーを、テレビ放送をメイン液晶画面で視聴する際の選局キーとして機能させている例を示したが、マルチファンクションスイッチの機能は、実施例の態様に限定されるものではなく、例えはメイン液晶画面をファインダーとして写真撮影する際のシャッターボタン等、様々な機能を持たせ得ることは言うまでもない。
【００５７】
また、上述した各実施例においては、操作デバイスとしてマルチファンクションスイッチを搭載した携帯電話機を例示しているが、例えばジョグダイヤルやタッチパネル等の様々な操作デバイスをも採用し得ることは勿論である。
【００５８】
さらに、上述した各実施例においては、本発明を携帯端末の一態様である携帯電話機に適用した例を示したが、回転２軸ヒンジ機構を備えた連結体を介して一方筐体と他方筐体とを開閉自在かつ旋回自在に連結した携帯端末、例えば、電子辞書やＰＤＡ(パーソナル・データ・アシスタンス)等、様々な携帯端末においても本発明を有効に適用し得ることは言うまでもない。
【図面の簡単な説明】
【００５９】
【図１】(ａ)および(ｂ)は、本発明に関わる携帯端末の一実施例である携帯電話機を示す外観斜視図。
【図２】(ａ)、(ｂ)および(ｃ)は、図１の携帯電話機を概念的に示した全体正面図、全体側面図および全体背面図。
【図３】図２の携帯電話機における連結体周辺の内部構造を示す概念図。
【図４】(ａ)および(ｂ)は、図２に示した携帯電話機の第１形態および第２形態を現す外観斜視図。
【図５】(ａ)および(ｂ)は、図２に示した携帯電話機の第３形態および第４形態を現す外観斜視図。
【図６】図２の携帯電話機における連結体周辺の内部構造を示す概念図。
【図７】(ａ)、(ｂ)および(ｃ)は、本発明に関わる携帯端末の他の実施例である携帯電話機を概念的に示した全体正面図、全体側面図および全体背面図。
【図８】図７の携帯電話機における連結体周辺の内部構造を示す概念図。
【図９】(ａ)および(ｂ)は、図７に示した携帯電話機の第１形態および第２形態を現す外観斜視図。
【図１０】(ａ)および(ｂ)は、図７に示した携帯電話機の第３形態および第４形態を現す外観斜視図。
【図１１】(ａ)、(ｂ)および(ｃ)は、従来の携帯電話機を示す全体正面図、全体側面図および全体背面図。
【図１２】(ａ)および(ｂ)は、図１１に示した携帯電話機の第１形態および第２形態を現す外観斜視図。
【図１３】(ａ)および(ｂ)は、図１１に示した携帯電話機の第３形態および第４形態を現す外観斜視図。
【符号の説明】
【００６０】
１，１′…携帯電話機(携帯端末)、
２，２′…下筐体(一方筐体)、
２ｆ…正面、
２ｋ…操作キー(操作部)、
２Ｂ，２Ｂ′…基板(電子部品)、
３，３′…上筐体(他方筐体)、
３ｆ…正面、
３ｂ…背面、
３ｄ…液晶表示部(表示部)、
３Ｂ，３Ｂ′…基板(電子部品)、
４，４′…連結体、
４ｏ…外面、
５，５′…マルチファンクションスイッチ(操作デバイス)、
５ｋ…操作キー、
５Ｂ，５Ｂ′…基板、
５Ｆ，５Ｆ′…フレキシブルフラットケーブル、
６，６′…細線同軸ケーブル、
１０…携帯電話機(携帯端末)、
１２…下筐体(一方筐体)、
１２ｆ…正面、
１２ｋ…操作キー(操作部)、
１２Ｓ…ブラケット部、
１２Ｓｏ…外面、
１２Ｂ…基板(電子部品)、
１３…上筐体(他方筐体)、
１３ｆ…正面、
１３ｂ…背面、
１３ｄ…液晶表示部(表示部)、
１３Ｂ…基板(電子部品)、
１４…連結体、
１５…マルチファンクションスイッチ(操作デバイス)、
１５ｋ…操作キー、
１５Ｂ…基板、
１５Ｆ…フレキシブルフラットケーブル、
１６…細線同軸ケーブル、
Ｈｆ…開閉用ヒンジユニット、
Ｈｒ…旋回用ヒンジユニット、
ｘ…開閉軸、
ｚ…旋回軸。
【図１】
2007158922.tif 000003
【図２】
2007158922.tif 000004
【図３】
2007158922.tif 000005
【図４】
2007158922.tif 000006
【図５】
2007158922.tif 000007
【図６】
2007158922.tif 000008
【図７】
2007158922.tif 000009
【図８】
2007158922.tif 000010
【図９】
2007158922.tif 000011
【図１０】
2007158922.tif 000012
【図１１】
2007158922.tif 000013
【図１２】
2007158922.tif 000014
【図１３】
2007158922.tif 000015